(57)【要約】【課題】１種類の枠部材にて形状の異なる窓部材が構成できる意匠性に優れた枠部材を提供すること。【解決手段】所定幅の板状の基部１１と、基部１１の一側端側より立ち上がる所定幅で板状の立壁部１２と、立壁部１２の先端部分より突出し基部１１、立壁部１２とで断面コ字形状の内溝１５を区画する板状の装飾部１３と、基部１１から立ち上がり、内溝１５を区画する立壁部１２の背面側で立壁部１２と所定間隔を隔てた外溝１６を区画する外壁部１４と、を有する断面一定の押出材で構成されていることを特徴とする。【選択図】  図１
2004353340.tif 000002
【特許請求の範囲】
【請求項１】
所定幅の板状の基部と、
該基部の一側端側又は該一端側より所定幅離れた部位より立ち上がる所定幅で板状の立壁部と、
該立壁部の先端部分より突出し該基部、該立壁部とで断面コ字形状の内溝を区画する板状の装飾部と、
該基部又は該基部に近い該立壁部から立ち上がり、該内溝を区画する該立壁部の背面側で該立壁部と所定間隔を隔てた外溝を区画する外壁部と、
を有する断面一定の押出材で構成されていることを特徴とする枠部材。
【請求項２】
前記外壁部の先端部分から前記外溝と反対方向に伸びる所定幅で板状の外覆部をもつ請求項１記載の枠部材。
【請求項３】
前記外壁部は筒状である請求項１記載の枠部材。
【請求項４】
３個以上の辺部で構成され、かつ、各該辺部の端部が互いに固定された多角形状である窓部材であって、
該窓部材は、所定長さに切断した請求項１〜３のいずれかに記載の枠部材であり、下側となる該辺部の前記立壁部は水抜き穴を有することを特徴とする窓部材。
【請求項５】
外壁面に固定される飾り部材を構成する請求項４記載の窓部材。
【請求項６】
壁面に設けられた開口部に挿入固定される請求項４記載の窓部材。
【発明の詳細な説明】
【０００１】
【発明の属する技術分野】
本発明は、枠部材およびそれを用いた窓部材に関する。
【０００２】
【従来の技術】
ヤギリ等に採用される従来のルーバー付き窓等の窓部材は、図６に示すように、枠部材を組み合わせた窓部材と、その窓部材の内部に配設されたルーバー部材７０とを有するものがある。
【０００３】
ルーバー部材７０は窓部材を介して雨等が振り込まないように防ぐと共に、空気の流通を確保する部材である。そして、優れた外観をもち意匠性を発揮することが期待される部材である。特に窓部材が開口部を有しない壁の上に固定され空気の流通機能を持たない場合もあり、この場合には高い意匠性を発揮することが主たる目的となる部材である。
【０００４】
ルーバー部材７０は、図７に示すように、複数個のルーバー片７１を平行に並べて、その複数個のルーバー片７１の端部を固定部材７２にリベット７３（又はネジ等でもよい）止めして一体化した部材である。ルーバー片７１はルーバー片本体部７１１とルーバー片本体部７１１の上端に接続され水滴等の侵入を防止する飛沫止め７１２とをもつ。ルーバー片７１は飛沫止め７１２の部分がルーバー片本体部７１１の下方と重なるように平行に並べる。固定部材７２は断面コ字形状の溝をもつ押出部材であり、一部が筒状となっている。断面コ字形状の溝の内部にルーバー片７１が配設、固定される。
【０００５】
窓部材を構成する枠部材としては、図６に示すように、２種類の枠部材９１及び９２を用いる。窓部材の下辺に枠部材９２を用い、その他の３辺には枠部材９１を用いる。枠部材９１は断面がほぼコ字形状となっている。内側に配設されるルーバー部材７０の端部を枠部材９１のコ字形状部分にて一部覆うことで意匠性を高めている。しかし、枠部材９１を窓部材の下辺にも用いると、コ字形状となった部分に雨水等が貯まる不都合がある。そこで、貯まった水を外部に排出するために、下辺のみに断面形状の異なる枠部材を設けている。
【０００６】
下辺にも枠部材９１を用い、窓部材の周辺部分や表面部分に水抜き穴を設けることも考えられるが、設けられた水抜き穴によって窓部材の意匠性を低下させるおそれがある。
【０００７】
【発明が解決しようとする課題】
複数種類の枠部材にて窓部材を構成することで、コストが高くなる問題があった。例えば、金型代等の生産設備投資が増加する。また、窓部材の形状はある程度規格化できるものの、最終的にはユーザによりまちまちであるので生産量の予測が困難で複数種類の枠部材の生産量の組み合わせを調節することが難しい。つまり、枠部材の長さや組み合わせを変更することで種々の形状をもつ窓部材を製造する場合に、どの枠部材をどの程度製造すればよいか予測することが困難である。
【０００８】
上記課題に鑑み、本発明では１種類の枠部材にて形状の異なる窓部材が構成できる意匠性に優れた枠部材を提供すること、並びにその枠部材を用いた窓部材を提供することを解決すべき課題とする。
【０００９】
【課題を解決するための手段及び発明の効果】
上記課題を解決する本発明の枠部材は、所定幅の板状の基部と、
該基部の一側端側又は該一端側より所定幅離れた部位より立ち上がる所定幅で板状の立壁部と、
該立壁部の先端部分より突出し該基部、該立壁部とで断面コ字形状の内溝を区画する板状の装飾部と、
該基部又は該基部に近い該立壁部から立ち上がり、該内溝を区画する該立壁部の背面側で該立壁部と所定間隔を隔てた外溝を区画する外壁部と、
を有する断面一定の押出材で構成されていることを特徴とする。
【００１０】
つまり、基部、立壁部及び装飾部にて区画される内溝に加え、内溝を区画する立壁部の背面側に外溝を形成することで内溝内に貯まる水を排出する水抜き穴を立壁部に形成しても外部から目立たなくすることができる。また、付随的な効果として外溝の幅等を変化させることで種々の意匠を実現することができ、デザインの自由度が増す。
【００１１】
そして、前記外壁部の先端部分から前記外溝と反対方向に伸びる所定幅で板状の外覆部をもつことが好ましい。立壁部に水抜き穴を設けた場合に、排出された水は外壁部の先端部分から排出されるが、外覆部をもつことで枠部材からの水の切れが良くなる。また、強度向上の観点から、前記外壁部は筒状であることが好ましい。
【００１２】
更に上記課題を解決する本発明の窓部材は、３個以上の辺部で構成され、かつ、各該辺部の端部が互いに固定された多角形状である窓部材であって、
該窓部材は、所定長さに切断した前述の本発明の枠部材であり、下側となる該辺部の前記立壁部は水抜き穴を有することを特徴とする。つまり、水抜き穴の有無以外は基本的に同じ枠部材で窓部材を構成することができるので、部品の共用化によるコスト低減が達成できる。窓部材の形状は多角形であればどのような形状（三角形、四角形、五角形、六角形、八角形等）であっても構わない。
【００１３】
そして、本窓部材は、外壁面に固定される飾り部材を構成することができる。また、本窓部材は、壁面に設けられた開口部に挿入固定されることができる。
【００１４】
【発明の実施の形態】
図面に基づき本発明の枠部材及び窓部材について説明する。
【００１５】
（第１実施形態）
〈構成〉
本実施形態の窓部材は壁の上に固定される飾り部材である。本窓部材を固定するために、壁の固定される部分に対してあらかじめ開口部を形成する等の処理を行うことは必須でない。本窓部材を構成する枠部材の断面図を図１に示す。
【００１６】
枠部材１０は所定幅の板状の基部１１と、基部１１の一側端側（図面下方）より立ち上がる所定幅で板状の立壁部１２と、立壁部１２の先端部分より突出し基部１１、立壁部１２とで断面コ字形状の内溝１５を区画する板状の装飾部１３と、基部１１に近い立壁部１２から立ち上がり、内溝１５を区画する立壁部１２の背面側で立壁部１２と所定間隔を隔てた外溝１６を区画する外壁部１４（図において破線で囲まれた部分）とを有する断面一定の押出材で構成される。
【００１７】
基部１１は、窓部材を形成した場合に、窓部材で囲まれる内部に配設する部材（例えばルーバー）を固定する部材である。ここで、基部１１の幅である所定幅とは特に限定されず、必要とされる枠部材の大きさに応じて決定される。例えば、内溝１５に貯まる水を窓部材の背面側に侵入させないように、装飾部１３と同程度の又は広い幅となるように所定幅を決定することができる。
【００１８】
立壁部１２は、内溝１５に貯留した水を排出できる水抜き穴が形成できる部材である。立壁部１２の幅である所定幅は特に限定しないが、内部に配設する部材の幅や、本窓部材が固定される部分の周囲との関係で決定できる。
【００１９】
装飾部１３は、窓部材で囲まれる内部に配設する部材の端部を覆うことができる部材である。窓部材で囲まれる内部に配設する部材の端部を覆うことで、意匠的に優れた窓部材を提供できる。装飾部１３の幅は特に限定しないが、外部にさらしたくない部分（例えば、ルーバー部材の端部等）を充分に覆うことができる幅とするほかに、窓部材全体との関係で高い意匠性が発揮できるように決定できる。
【００２０】
装飾部１３の端部、外壁部１４には接続用穴（図略）が形成されている。接続用穴は接続部材をはめ込むことで枠部材１０の長さ方向の端部間を接続する部分である。
【００２１】
外壁部１４は筒状である。外構１６に面する一面側１４１は、水はけを良くする目的で、外構１６の開口方向（図面右方）へ向かうに従い外構１６が拡がる方向に僅かに傾いている。外壁部１４の一面側１４１と立壁部１２とを接続する部分は枠部材１０を壁に固定する際のネジ止めを行う部分であるネジ止め部１４３である。ネジ止め部１４３は外溝１６の内部（再奥部分）に存在する。外壁部１４の他面側１４２は、外壁部１４からの水切りをよくするために、ネジ止め部１４３に対して概ね垂直である。外溝１６は窓部材の意匠性に大きな影響を与える部分であり、他の部分との関係で適正な幅をもって形成される。
【００２２】
所定長さに切断した枠部材１０を４つ組み合わせることで、方形の窓部材を形成する。本実施形態においては枠部材１０を切断する所定長さとしては、窓部材の縦方向の長さと幅方向の長さとにそれぞれ基づく２種類の長さである。枠部材１０を切断する所定長さは形成する窓部材の大きさに依存して決定される。
【００２３】
枠部材１０は端部が外壁部１４の他面側１４２に対して４５°の角度になるように切断する。切断する角度は窓部材の形状により好ましい大きさが変化する。なお、接続する端部間をずれることなく接続するためには、接続する端部同士では同じ角度にて切断することが好ましい。
【００２４】
切断された枠部材１０は、図２に示すように、接続部材（図略）を介して接続され窓部材１を構成する。なお、図２では、組み合わせる４つの枠部材１０、１０’のうちの縦方向の１つを省略している。枠部材１０’は、前述した枠部材１０の立壁部１２に水抜き穴（図略）を形成したものである。水抜き穴の形成方法としては特に限定しないが、パンチによる方法がある。窓部材１の内側にはルーバー部材７０’が固定される。ルーバー部材７０’はルーバー片７１’の形状がわずかに異なるほかは、従来技術の欄で説明したルーバー部材７０と同じである。すなわち、本実施形態の窓部材１は開口部をもたない壁に固定される飾り部材であるので、ルーバー片７１に設けた飛沫止め７１２が不要となる。
【００２５】
図３に、本窓部材１を壁Ｗに固定した際の断面を示す。窓部材１は木ネジ６１にて壁Ｗに固定される。木ネジ６１は枠部材１０及び１０’のネジ止め部１４３に設けられたネジ穴（図略）を介して枠部材１０及び１０’を固定する。ルーバー部材７０’の背面には防水シート６２が配設される。
【００２６】
〈作用効果〉
以上の構成をもつことから本実施形態の窓部材は以下の作用効果を有する。すなわち、窓部材１内に侵入した水滴はルーバー部材７０’に沿って流れ、窓部材１の下辺を構成する枠部材１０’の内溝１５内に貯まる。ルーバー部材７０’と壁Ｗとの間には防水シート６２が配設されているので、ルーバー部材７０’の背面に水が侵入することはない。
【００２７】
内溝１５を区画する立壁部１２には水抜き穴が形成されているので、内溝１５内に貯まった水は水抜き穴を介して外溝１６に排出される。外溝１６に排出された水は外壁部１４の一面側１４１上に沿って外溝１６の開口部から窓部材１外部に排出される。外壁部１４の一面側１４１は僅かに傾いているので水は速やかに外部に排出できる。外壁部１４の他面側１４２はネジ止め部１４３（すなわち、壁Ｗ）に対して垂直であるので、他面側１４２を伝って水が壁Ｗに至ることがなく、排出された水により壁Ｗが汚れるおそれがない。
【００２８】
つまり、本実施形態の枠部材を採用したことで、部品の共用化によるコスト低減が達成できる。また、窓の形状を注文に応じて変形させた場合でも窓部材を構成する枠部材がすべて共用化できるので枠部材の過不足が生じない。
【００２９】
更に、窓部材１の壁Ｗへの取り付けは、枠部材１０及び１０’の外構１６内部の奥まった部分に存するネジ止め部１４３にてネジ止めを行っているので、窓部材１取り付け後にネジの存在が目立たない。従って、壁Ｗが完成した後に、窓部材１を取り付けても外観を損なうおそれがない。
【００３０】
（第２実施形態）
〈構成〉
本実施形態の窓部材は壁に設けられた開口部内に固定される部材である。窓部材の周辺部が開口部を構成する壁の端面に接するように挿入される。本窓部材を構成する枠部材の断面図を図４に示す。
【００３１】
枠部材２０は所定幅の板状の基部２１と、基部２１の一側端側（図面下方）より立ち上がる所定幅で板状の立壁部２２と、立壁部２２の先端部分より突出し基部２１、立壁部２２とで断面コ字形状の内溝２７を区画する板状の装飾部２３と、基部２１に近い立壁部２２から立ち上がり、内溝２７を区画する立壁部２２の背面側で立壁部２２と所定間隔を隔てた外溝２６を区画する外壁部２４と、外壁部２４の先端部分から外溝２６と反対方向に伸びる所定幅で板状の外覆部２５とを有する断面一定の押出材で構成される。
【００３２】
基部２１は、窓部材を形成した場合に、窓部材で囲まれる内部に配設する部材（例えばルーバー）を固定する部材である。立壁部２２は、内溝２７に貯留した水を排出できる水抜き穴が形成できる部材である。装飾部２３は、窓部材で囲まれる内部に配設する部材の端部を覆うことができる部材である。窓部材で囲まれる内部に配設する部材の端部を覆うことで、意匠的に優れた窓部材を提供できる。
【００３３】
装飾部２３の端部、外壁部２４には接続用穴（図略）が形成されている。接続用穴は接続部材をはめ込むことで枠部材２０の長さ方向の端部間を接続する部分である。
【００３４】
外壁部２４は、外構２６の開口方向（図面右方）へ向かうに従い外構２６が拡がる方向に、僅かに傾いている。外壁部２４と立壁部２２とを接続する部分は枠部材２０を壁に固定する際のネジ止めを行う部分であるネジ止め部２４１である。ネジ止め部２４１を介して、壁の開口部に設けられた木下地に窓部材は固定される。
【００３５】
所定長さに切断した枠部材２０を４つ組み合わせることで、方形の窓部材ができる。枠部材２０を切断する所定長さとしては、窓部材の縦方向の長さと幅方向の長さとにそれぞれ基づく２種類の長さである。
【００３６】
枠部材２０は端部が外壁部２４の下測端面に対して４５°の角度になるように切断する。窓部材を構成する枠部材２０の内、下辺に配設される部材には、前述した立壁部２２に水抜き穴（図略）を形成する。水抜き穴の形成方法としては特に限定しないが、パンチによる方法がある。窓部材の内側にはルーバー部材７０が固定される。ルーバー部材７０は従来技術の欄で説明したルーバー部材７０（図７）と同じ部材である。
【００３７】
図５に、本窓部材を壁の開口部に固定した際の断面を示す。窓部材１は木ネジ６１にて木下地Ｂに固定される。木ネジ６１は枠部材１０及び１０’のネジ止め部１４３に設けられたネジ穴（図略）を介して枠部材１０及び１０’を固定する。外壁部２４の外溝２６に対して背面側が壁に設けられた開口部Ｆに接するように挿入される。窓部材は、外覆部２５が壁の開口部Ｆの表面から僅かに隙間をもつように固定される。
【００３８】
〈作用効果〉
以上の構成をもつことから本実施形態の窓部材は以下の作用効果を有する。すなわち、窓部材内に侵入した水滴はルーバー部材７０に沿って流れ、窓部材の下辺を構成する枠部材２０の内溝２７内に貯まる。
【００３９】
内溝２７を区画する立壁部２２には水抜き穴が形成されているので、内溝２７内に貯まった水は水抜き穴を介して外溝２６に排出される。外溝２６に排出された水は外壁部２４に沿って外溝２６の開口部から窓部材外部に排出される。外壁部２４は僅かに傾いているので水は速やかに外部に排出できる。外壁部２４の先端部には壁から隙間をもって外覆部２５が設けられており、排出された水は壁に伝わることがないので壁が汚れるおそれがない。
【００４０】
つまり、本実施形態の枠部材を採用したことで、第１実施形態の窓部材及び枠部材が有する効果（コスト低減及び窓部材の取り付けによる意匠性低減の抑制）を有する。特に、外溝２６内のネジ止め部２４１を介して窓部材を固定できるので、開口部を形成した後に窓部材を固定できるため、取り付けの手順を簡単にすることができる。
【００４１】
（変形態様）
窓部材の形状は方形のほか、線分をつなぎ合わせることで製造できる形状（多角形）であればどのような形状でもかまわない。例えば、図８に示す形状が例示できる。台形、菱形、三角形、六角形、五角形（正五角形、ホームベース形）等である。このような形状について、窓部材として用いる場合に下辺に位置する枠部材の立壁部に水抜き穴を設ける。ここで、水抜き穴を形成する部分である下辺とは、窓部材の内で水がよく貯まる部分であり、図８におけるＡ、Ｂ、Ｃ等のように、下辺が水平となったものや、Ｆ及びＪのように、傾きをもって接合され２つの辺が下辺を為すものもある。更に、Ｍのように、水平ではない部材を下辺とすることもできる。
【図面の簡単な説明】
【図１】第１実施形態の枠部材の断面図である。
【図２】第１実施形態の窓部材の一部断面図である。
【図３】第１実施形態の窓部材の断面図である。
【図４】第２実施形態の枠部材の断面図である。
【図５】第２実施形態の窓部材の断面図である。
【図６】従来技術の窓部材を示した図である。
【図７】ルーバー部材の断面図である。
【図８】本発明が適用できる窓部材の形状を示した図である。
【符号の説明】
１０、１０’、２０…枠部材
１１、２１…基部    １２、２２…立壁部    １３、２３…装飾部
１４、２４…外壁部    １４３、２４１…ネジ止め部    ２５…外覆部    １５、２７…内溝    １６、２６…外溝
７０、７０’…ルーバー部材
７１…ルーバー片    ７２…固定部材    ７３…リベット
９１、９２…枠部材
【図１】
2004353340.tif 000003
【図２】
2004353340.tif 000004
【図３】
2004353340.tif 000005
【図４】
2004353340.tif 000006
【図５】
2004353340.tif 000007
【図６】
2004353340.tif 000008
【図７】
2004353340.tif 000009
【図８】
2004353340.tif 000010